(57)【特許請求の範囲】
【請求項１】
軸筒内に３本以上の筆記体をコイルスプリングにより軸筒後端方向に付勢して配設し、各筆記体の後端に装着したスライド部材の隆起部が、軸筒後端部に一体に形成した３つ以上の摺動孔、または軸筒と軸筒後端部に付設した摺動部材により形成した摺動孔より、軸筒の外方に突出した状態で摺動自在に収納し、前記隆起部を軸筒先端方向に前進操作することによって、スライド部材に形成した係止部を、前記軸筒後端部又は前記摺動部材に形成した被係止部に係止させ、各筆記体の先端部を、選択的に軸筒先端開口部より突出するスライド式の多芯筆記具であって、前記各スライド部材の形状を共通化し、前記摺動孔の一つを、他の摺動孔より幅を大きく形成し、該他の摺動孔より幅を大きく形成した摺動孔に、他の筆記体よりも最大外径の大きい筆記体を収納するとともに、前記各筆記体の軸心が略同心円上、かつ周方向で、近接する筆記体の軸心間の距離が略同一であり、前記最大外径の大きい筆記体の軸心と軸筒の軸心を結ぶ線の延長線上に、前記他の筆記体の軸心の一つが位置するとともに、前記最大外径の大きい筆記体の軸筒の軸心を中心とした外接円と、前記他の筆記体の軸筒の軸心を中心とした外接円とが、略同一円となるように、前記各筆記体の軸心を結ぶ同心円の中心が、前記最大外径の大きい筆記体の軸心と軸筒の軸心を結ぶ延長線上、且つ前記軸筒の軸心よりも、前記最大外径の大きい筆記体と反対側に位置することを特徴とするスライド式の多芯筆記具。
【請求項２】
前記他の筆記体よりも最大外径の大きい筆記体が、芯タンクの先端部をコネクターに係合し、コネクターに対して芯タンクを揺動可能に連結し、芯タンクの後端部は中子の前部孔に適宜揺動可能に挿入するとともに、前記芯タンクの外側に長手方向に摺動可能に重量体を外嵌し、前記重量体の慣性力によりチャックを前進させて筆記芯を繰り出す振出式筆記具であることを特徴とする請求項１に記載のスライド式の多芯筆記具。
【発明の詳細な説明】
【技術分野】
【０００１】
本発明は、軸筒内に複数本の筆記体を配設したスライド式の多芯筆記具に関する。
【背景技術】
【０００２】
従来から、特開２００１−２３９７９１号公報「スライド式の多芯筆記具」に開示されているように、軸筒内に、複数の筆記体を配設し、各筆記体の後端に、コイルスプリングにより軸筒後端方向に付勢して配設したスライド部材を、各スライド部材に形成した隆起部が、軸筒後端部に形成した窓部より突出した状態で、軸筒後端部の摺動孔に摺動自在に収納し、一方の隆起部を軸筒先端方向に前進せしめることで、一方のスライド部材に形成した係止部が、軸筒後端部に形成した一方の被係止部に係止することで、一方の筆記体の先端部を軸筒先端開口部より突出し、他方の隆起部を軸筒先端方向に前進せしめることで、他方のスライド部材に形成した解除突起が、一方のスライド部材に当接し、被係止部に係止していた一方の係止部の係止を解除し、さらに他方の隆起部を軸筒先端方向に前進せしめ、他方の係止部を軸筒後端部に形成した他方の被係止部に係止することで、他方の筆記体の先端部を軸筒先端開口部より突出可能なスライド式の多芯筆記具はよく知られている。
【０００３】
こうしたスライド式の多芯筆記具は、インキの種類や色、ボール径、或いはシャープペンシルとボールペン等、種類の異なる複数の筆記体を配設しているが、その筆記体の外径が略同一としてあった。
【０００４】
そのため、スライド式の多芯筆記具に形成する摺動孔の幅及び深さを同一に形成することによって、各筆記体に配設したスライド部材間の距離が一定となるので、スライド部材の形状を共通化することができた。
【特許文献１】「特開２００１−２３９７９１号公報」
【発明の開示】
【発明が解決しようとする課題】
【０００５】
こうした中、インキの種類、ボール径、或いはシャープペンシル等、筆記体の種類によって、外径の異なる複数の筆記体を配設したスライド式の多芯筆記具が切望されている。
【０００６】
しかし、特許文献１のような従来の多芯筆記具の摺動孔の一つを、幅及び深さを単に大きくするだけでは、摺動孔と他の摺動孔との距離が短く、スライド部材の摺動時に他の筆記体に緩衝する恐れがあり、また、耐衝撃性も低下するという問題があった。
【０００７】
また、各摺動孔の軸心と、軸筒の軸心との距離が異なると、スライド部材に形成した係止部の軸筒後端部に形成した被係止部への係止するまでの距離や、他方のスライド部材に形成した解除突起が、一方のスライド部材に当接するまでの距離が相違するため、スライド部材の形状を共通化することができず、各摺動孔に対応するスライド部材を用意する必要があった。
【０００８】
本発明の目的は、外径の異なる複数の筆記体を配設し、且つスライド部材の形状を共通に使用することができるスライド式の多芯筆記具を簡単な構造で提供することにある。
【課題を解決するための手段】
【０００９】
本発明は、軸筒内に３本以上の筆記体をコイルスプリングにより軸筒後端方向に付勢して配設し、各筆記体の後端に装着したスライド部材の隆起部が、軸筒後端部に一体に形成した３つ以上の摺動孔、または軸筒と軸筒後端部に付設した摺動部材により形成した摺動孔より、軸筒の外方に突出した状態で摺動自在に収納し、前記隆起部を軸筒先端方向に前進操作することによって、スライド部材に形成した係止部を、前記軸筒後端部又は前記摺動部材に形成した被係止部に係止させ、各筆記体の先端部を、選択的に軸筒先端開口部より突出するスライド式の多芯筆記具であって、前記各スライド部材の形状を共通化し、前記摺動孔の一つを、他の摺動孔より幅を大きく形成し、該他の摺動孔より幅を大きく形成した摺動孔に、他の筆記体よりも最大外径の大きい筆記体を収納するとともに、前記各筆記体の軸心が略同心円上、かつ周方向で、近接する筆記体の軸心間の距離が略同一であり、前記最大外径の大きい筆記体の軸心と軸筒の軸心を結ぶ線の延長線上に、前記他の筆記体の軸心の一つが位置するとともに、前記最大外径の大きい筆記体の軸筒の軸心を中心とした外接円と、前記他の筆記体の軸筒の軸心を中心とした外接円とが、略同一円となるように、前記各筆記体の軸心を結ぶ同心円の中心が、前記最大外径の大きい筆記体の軸心と軸筒の軸心を結ぶ延長線上、且つ前記軸筒の軸心よりも、前記最大外径の大きい筆記体と反対側に位置することを特徴とする。
【００１０】
また、前記各摺動孔の軸心を結ぶ同心円の中心が、該他の摺動孔より幅を大きく形成した摺動孔の軸心と軸筒の軸心を結ぶ線上で、他の摺動孔より幅を大きく形成した摺動孔の軸心から軸筒の軸心までの距離と、前記他の摺動孔から軸筒の軸心までの距離との差だけ、前記軸筒の軸心よりも、前記他の摺動孔より幅を大きく形成した摺動孔と反対側に位置するように形成したことを特徴とする。
【００１１】
また、前記他の筆記体よりも最大外径の大きい筆記体が、芯タンクの先端部をコネクターに係合し、コネクターに対して芯タンクを揺動可能に連結し、芯タンクの後端部は中子の前部孔に適宜揺動可能に挿入するとともに、前記芯タンクの外側に長手方向に摺動可能に重量体を外嵌し、前記重量体の慣性力によりチャックを前進させて筆記芯を繰り出す振出式筆記具であることを特徴とする。
【００１２】
尚、本願発明の摺動孔の軸心とは、摺動孔に筆記体を配設した時の筆記体の軸心と同一である。
【発明の効果】
【００１３】
外径の異なる複数の筆記体を配設し、且つスライド部材の形状を共通に使用することができるスライド式の多芯筆記具を簡単な構造で提供することができた。
【発明を実施するための最良の形態】
【００１４】
次に図面を参照しながら、本発明の筆記具の軸筒の実施例を説明するが、本発明は以下の実施例に限定されるものではない。
【実施例１】
【００１５】
以下、図１〜図５に基づいて本発明における実施例１のスライド式の多芯筆記具１は、口金２の後端部に前軸３を螺着し、前軸３の後端部に後軸４を連結ネジ３０を介して螺着してある。また、後軸４の後端部に摺動部材１０を係合して形成した軸筒本体内に、シャープペンシルＨを１本と、ボールペンＢを２本、コイルスプリング７、８により後軸４の後端後方に付勢させ収納してある従来から知られているスライド式の多芯筆記具１である。尚、摺動部材１０の後端部には頭冠３１を、消しゴム３２を被うように着脱自在に装着し、前軸３にはグリップ部材３３を装着してある。
【００１６】
シャープペンシルＨは、具体的には、先ず、黄銅等からなる金属製のチャック１１の後端部に合成樹脂製のコネクター１２を圧入固着する。また、チャック１１の頭部１１ａには締リング１３が外嵌され、締リング１３を受け止める内軸１４の内段４ａとコネクター１２の間に比較的弱い力のスプリング１５が配設される。したがって、通常時は、スプリング１５により後方に付勢されるチャック１１の頭部１ａは、締リング１３に押圧されて閉じることによって芯１６を保持する。
【００１７】
また、芯タンク１７の先端部をコネクター１２に係合し、コネクター１２に対して芯タンク１７を揺動可能に連結し、芯タンク１７の後端部は中子２０の前部孔２０ａに適宜揺動可能に挿入してある。この芯タンク７の外側に長手方向に摺動可能に金属製の重量体１８を外嵌してある。
【００１８】
更に、ステンレスパイプで構成された軸筒２３の後端部に圧入固着した頭冠１９の先端に中子２０を配置し、この中子２０の後端部に押圧部材２１を配設してある。また、頭冠１９の内段部１９ｂと押圧部材２１の外段部２１ａとの間にノックスプリング２２を配設してあるので、中子２０の後端が頭冠１９の前端に当接する。更に、押圧部材２１の後端部にはスライド部材５が着脱可能に装着してあり、このスライド部材５の隆起部５ａが後軸３に付設した摺動部材１０の摺動孔１０Ａから突出した状態に保持してある。
【００１９】
また、内軸１４の前部凹溝１４ｂにはＯリング２４が設けられ、この内軸１４に芯ホルダー２５を内蔵した口金２６が着脱可能に螺合されるが、内軸１４に設けられたＯリング２４が口金２６に圧接されて口金２６のゆるみが防止され振出式シャープペンシルが構成されている。尚、振出式シャープペンシルＣの最大外径は５ｍｍであった。
【００２０】
ボールペンＢ１は、黒色の油性インキ（図示せず）をインキ収容筒２７の先端開口部に、ボールを回転自在に抱持したボールペンチップ２８０を圧入装着してある。もう一本のボールペンＢ２は、赤色の油性インキ（図示せず）を収容したインキ収容筒２９の先端開口部に、ボールを回転自在に抱持したチップ部材からなる筆記先端部（図示せず）を圧入装着してある。尚、ボールペンＢ１、Ｂ２の最大外径は３ｍｍであった。
【００２１】
また、ボールペンＢ１のインキ収容筒２７の後端開口部には、操作体となるスライド部材６の先端部を圧入装着し、このスライド部材６の隆起部６ａが後軸４に付設した摺動部材１０の摺動孔１０Ｂから突出した状態に保持してある。また、図示はしていないが、もう一本のボールペンＢ２も同様に、インキ収容筒２９の後端部に付設したスライド部材（図示せず）が、摺動部材１０の摺動孔１０Ｃから外部に突出するように配設してある。
【００２２】
摺動孔１０Ａは、他の摺動孔、１０Ｂ、１０Ｃより幅及び深さを大きく形成してあり、この摺動孔１０ＡにボールペンＢの最大外径より最大外径の大きいシャープペンシルＨを配設してある。また、前記摺動孔１０Ａの軸心J１と軸筒の軸心Jを結ぶ線の延長線上に、摺動孔１０Ｂの軸心J２が位置している。
【００２３】
また、摺動孔１０Ａ、１０Ｂ、１０Ｃは、各摺動孔１０Ａ、１０Ｂ、１０Ｃ軸心Ｊ１、Ｊ２、Ｊ３が略同心円Ｒ上に位置している。また、各摺動孔１０Ａ、１０Ｂ、１０Ｃの軸心Ｊ１、Ｊ２、Ｊ３を結ぶ同心円Ｒの中心ｊが、摺動孔１０Ａの軸心Ｊ１と軸筒の軸心Ｊ（ｎ−ｎとｍ−ｍとの交点）を結ぶ線の延長線上で、且つ軸筒の軸心Ｊよりも、摺動孔１０Ａと反対側（図５のＦ方向側）に位置（ｎ−ｎとＭ−Ｍとの交点）するように形成してある。
【００２４】
各摺動孔１０Ａ、１０Ｂ、１０Ｃの軸心Ｊ１、Ｊ２、Ｊ３を略同心円Ｒ上にすることで、各筆記体Ｈ、Ｂ１、Ｂ２に配設したスライド部材５、６、（図示せず）間の距離が一定となるので、スライド部材５、７、（図示せず）の形状を共通化することができ。
【００２５】
また、各摺動孔１０Ａ、１０Ｂ、１０Ｃの軸心Ｊ１、Ｊ２、Ｊ３を結ぶ同心円Ｒの中心ｊが、摺動孔１０Ａに配設した筆記体Hの軸筒の軸心Jを中心とした外接円と、前記他の摺動孔１０Ｂに配設した筆記体Ｂ１の軸筒の軸心Jを中心とした外接円が、略同一円となるように、前記摺動孔１０Ａの軸心Ｊ１と軸筒の軸心Ｊを結ぶ線の延長線上で、軸筒の軸心Ｊよりも、摺動孔１０Ａの反対側に位置するように形成することによって図６−２に示すように、軸筒の軸心Ａ（ｎ−ｎとｍ−ｍとの交点）を摺動孔１０Ａ、１０Ｂ、１０Ｃの軸心Ｊ１、Ｊ２、Ｊ３の同心円Ｒ２の中心と同位置にする場合に比べて、摺動部材３４の外径を小さくできるので、後軸４、１４の肉厚が同じであれば、軸筒本体を細径にできる。
【００２６】
シャープペンシルＨを使用する際には、スライド部材５の隆起部５ａを口金２の先端開口部２ａ方向に前進せしめることで、スライド部材５の係止部５ｂが摺動部材１０に形成した、被係止部１０ａに係止して、シャープペンシルＨの先端部を突出させた状態で、摺動部材用コイルスプリング９によって後軸４の後端方向に付勢して配設した摺動部材１０を口金２の先端開口部２ａ方向に押圧することにより、摺動部材１０が口金２の先端開口部２ａ方向に前進し、この摺動部材１０の前進によって、スライド部材５、スライド部材５と連接した芯タンク１７が口金２の先端開口部２ａ方向に前進する。その結果、芯タンク１７の移動によって、従来から知られているチャック１１、締めリング１３で構成される鉛芯繰り出し機構を作動させ、コネクター１２の後端に当接され、コネクター１２が前進してチャック１１を前方に移動させ芯６を繰り出すことができる。
【００２７】
また、シャープペンシルＨを振り出しにおいて鉛芯１６を繰り出す場合には、多芯筆記具１を振ることにより生じる重量体１８の慣性力により重量体１８が長手方向前方に移動し、重量体１８がコネクター１２の後端に当接され、コネクター１２が前進してチャック１１を前方に移動させ芯１６を繰り出すことができる。
【００２８】
ボールペンＢ１を使用する際には、スライド部材６の隆起部６ａを口金２の先端開口部２ａ方向に前進せしめることで、スライド部材６の係止部６ｂが摺動部材１０に形成した、被係止部（図示せず）に係止することにより、ボールペンＢのボールペンチップ２８を口金２の先端開口部２ａから突出した状態を維持させて使用する。この状態からシャープペンシルＨを使用する場合には、スライド部材５の隆起部５ａを口金２の先端開口部２ａ方向に前進せしめることで、スライド部材５の解除突起５ｃが、被係止部（図示せず）に係止しているスライド部材６に当接し、係止部６ｂを押し出し、スライド部材６の係止を解除させ、コイルスプリング８の弾発力によってボールペンＢ１は元の状態に戻る。さらに隆起部５ａを口金２の先端開口部２ａ方向に前進せしめることで、スライド部材５の係止部５ｂが、対応する被係止部１０ａに係止して、シャープペンシルＨの先端部を突出した状態を維持することができる。
【００２９】
尚、本実施例では、口金、前軸、後軸、摺動部材により軸筒本体を形成し、軸筒後端部と摺動部材によって摺動孔を形成してあるが、軸筒後端部に一体に摺動孔を形成してあってもよい。
【産業上の利用可能性】
【００３０】
本発明のスライド式の多芯筆記具は、実施例に例示したボールペン２本とシャープペンシル１本に限定されるものではなく、ボールペン３本やシャープペンシル３本等、軸筒内に複数本の筆記体を配設してあれば使用することができる。
【図面の簡単な説明】
【００３１】
【図１】実施例１のスライド式の多芯筆記具の軸筒を示す、縦断面図である。
【図２】図１における筆記体を繰り出した状態を示す、縦断面図である。
【図３】図１における一部省略した軸筒後端部の拡大断面図である。
【図４】図１におけるシャープペンシル体の拡大断面図である。
【図５】図１におけるＡ−Ａ断面図である。
【図６】同心円の軸心を軸筒の軸心と同意位置にした状態で図５と比較した図である。
【符号の説明】
【００３２】
１  スライド式の多芯筆記具
２  口金
３  中間軸
４  後軸
５、６  スライド部材
５ａ、６ａ  隆起部
５ｂ、６ｂ  被係止部
５ｃ、６ｃ  解除突起
７、８  コイルスプリング
９  摺動体用コイルスプリング
１０、３４  摺動部材
１０Ａ、１０Ｂ、１０Ｃ  摺動孔
１１  チャック
１２  コレクター
１３  締めリング
１４  内軸
１５  スプリング
１６  芯
１７  芯タンク
１８  重量体
１９  頭冠
２０  中子
２１  押圧部材
２２  ノックスプリング
２３  軸筒
２４  Ｏリング
２５  芯ホルダー
２６  口金
２７、２９  インキ収容管
２８  ボールペンチップ
３０  連結ネジ
３１  頭冠
３２  消しゴム
３３  グリップ部材
【図１】
0004435724.tif 000002
【図２】
0004435724.tif 000003
【図３】
0004435724.tif 000004
【図４】
0004435724.tif 000005
【図５】
0004435724.tif 000006
【図６】
0004435724.tif 000007